(57)【要約】【課題】集積度を向上させ、組立及び分離の容易性も向上させることができるキャパシタユニットセル及びこれを備えるエネルギー貯蔵モジュールを提供する。【解決手段】本発明のエネルギー貯蔵モジュール１００は、プラス端子及びマイナス端子を有する複数のキャパシタユニットセル１１０、キャパシタユニットセル１１０のうち何れか一つのセルのプラス端子と他の一つのセルのマイナス端子とを電気的に連結させる連結部１３０を含み、キャパシタユニットセル１１０の夫々は、エネルギー貯蔵素子を内蔵する外部ケースを含み、外部ケースは、この外部ケースの一面から突出した突出部１１３、及びこの突出部１１３に相応する形状を有し、外部ケースの他面から外部ケースの内側に陷沒した陷沒部１１５を含む。【選択図】図１
2012049490.tif 000002
【特許請求の範囲】
【請求項１】
エネルギー貯蔵素子；及び
前記エネルギー貯蔵素子を内蔵させる外部ケースを含み、
前記外部ケースは、
前記外部ケースの一面から突出された突出部；及び
前記突出部と相応する形状を有し、前記外部ケースの他面から前記外部ケースの内側に陷沒された陷沒部を含むキャパシタユニットセル。
【請求項２】
前記突出部は前記キャパシタユニットセルとは異なる他のキャパシタユニットセルの一部に挿入されて嵌められ、
前記陷沒部は前記キャパシタユニットセルとは異なるまた他のキャパシタユニットセルの一部が挿入されて嵌められる請求項１に記載のキャパシタユニットセル。
【請求項３】
前記突出部及び前記陷沒部は柱状である請求項１に記載のキャパシタユニットセル。
【請求項４】
前記外部ケースは、上部面、前記上部面の反対側の下部面、そして前記上部面と前記下部面を連結する第１から第４側面を含み、
前記第１側面は、前記第３側面と反対となる側面であり、
前記第２側面は、前記第４側面と反対となる側面であり、
前記突出部は、前記第１側面と前記第３側面に設けられ、
前記陷沒部は、前記第２側面と前記第４側面に設けられる請求項１に記載のキャパシタユニットセル。
【請求項５】
前記突出部は、
前記外部ケースの一面から一方向に垂直に突出した構造；及び
前記突出した構造から、前記一方向に垂直の方向に突出した外れ防止体を含む請求項１に記載のキャパシタユニットセル。
【請求項６】
プラス端子及びマイナス端子を有する複数のキャパシタユニットセル；及び
前記キャパシタユニットセルのうち何れか一つのセルのプラス端子と他の一つのセルのマイナス端子とを電気的に連結させる連結部を含み、
前記キャパシタユニットセルの夫々はエネルギー貯蔵素子を内蔵する外部ケースを含み、
前記外部ケースは、
前記外部ケースの一面から突出した突出部；及び
前記突出部に相応する形状をし、前記外部ケースの他面から前記外部ケースの内側に陷沒した陷沒部を含むエネルギー貯蔵モジュール。
【請求項７】
前記キャパシタユニットセルのうち何れか一つのセルの突出部は、前記何れか一つのセルに隣接する他の一つのセルの陷沒部に挿入され、
前記何れか一つのセルの陷沒部は、前記何れか一つのセルに隣接するまた他の一つのセルの突出部が挿入される請求項６に記載のエネルギー貯蔵モジュール。
【請求項８】
前記キャパシタユニットセルのうち何れか一つのセルの突出部は、隣接する他の一つのセルの陷沒部に挿入され、
前記突出部は、前記陷沒部にスライディング面接触して嵌められる請求項６に記載のエネルギー貯蔵モジュール。
【請求項９】
前記キャパシタユニットセルのうち何れか一つのセルの突出部は、隣接する他の一つのセルの陷沒部に挿入され、
前記突出部は、前記陷沒部にプレスフィット方式で嵌められる請求項６に記載のエネルギー貯蔵モジュール。
【請求項１０】
前記突出部及び前記陷沒部は、突起形状を有する請求項６に記載のエネルギー貯蔵モジュール。
【請求項１１】
前記外部ケースは、上部面、この上部面の反対側の下部面、そして前記上部面と前記下部面を連結する第１から第４側面を含み、
前記第１側面は、前記第３側面と反対となる側面であり、
前記第２側面は、前記第４側面と反対となる側面であり、
前記突出部は、前記第１側面と前記第３側面に設けられ、
前記陷沒部は、前記第２側面と前記第４側面に設けられる請求項６に記載のエネルギー貯蔵モジュール。
【請求項１２】
前記突出部は、
前記外部ケースの一面から一方向に突出した構造；及び
前記突出した構造から前記一方向に垂直の方向に突出した外れ防止体を含む請求項６に記載のエネルギー貯蔵モジュール。
【請求項１３】
前記陷沒部は、前記外れ防止体に相応する形状の外れ防止溝をさらに含む請求項１０に記載のエネルギー貯蔵モジュール。
【発明の詳細な説明】
【技術分野】
【０００１】
本発明は、キャパシタユニットセル及びこれを備えるエネルギー貯蔵モジュールに関し、より詳細には、集積度及び組立容易性を向上させたキャパシタユニットセル及びこれを備えるエネルギー貯蔵モジュールに関する。
【背景技術】
【０００２】
次世代エネルギー貯蔵装置のうち、ウルトラキャパシタまたはスーパーキャパシタと呼ばれる装置は、早い充放電速度、高い安定性、そして低環境負荷特性により、次世代エネルギー貯蔵装置として脚光を浴びている。
【０００３】
このようなエネルギー貯蔵装置は、高出力及び高容量の具現のために、複数のユニットセルをモジュール化して、エネルギー貯蔵モジュールとして用いることができる。例えば、自動車のような運送手段では、補助電源としてスーパーキャパシタのようなエネルギー貯蔵モジュールを備えることができ、前記エネルギー貯蔵モジュールは、複数のキャパシタユニットセルからなるキャパシタセルアレイ構造を有する。
【０００４】
しかし、一般的なキャパシタユニットセルの夫々は、六面体または円筒の形状を有する。このため、モジュール化のためには、キャパシタユニットセルの固定及び組立のために別途の固定手段を備えるようにするとともに、これらの電気的連結及び組立などのための付加的な構成が必要である。しかし、別途の固定手段及び付加構成を用いて前記キャパシタユニットセルを固定及び組立てる場合、エネルギー貯蔵モジュールの全体構造が複雑になり、前記キャパシタセルアレイの組立性及び分離性が低くなる。
【０００５】
また、上述のように、六面体または円筒の形状のキャパシタユニットセルを平面的に配置する場合、前記エネルギー貯蔵モジュールの全体サイズは、前記キャパシタユニットセルの占有面積に加えて、前記固定手段及びその外側の付加構成により増加する。これにより、一般的なエネルギー貯蔵モジュールは、前記キャパシタユニットセル以外の他の構成によって、その全体サイズを減少させることに限界を生じる。
【先行技術文献】
【特許文献】
【０００６】
【特許文献１】韓国公開特許第２００４−０１０１５５５号公報
【特許文献２】米国特許第６７６２９２６号明細書
【発明の概要】
【発明が解決しようとする課題】
【０００７】
本発明は、集積度を向上させることができるキャパシタユニットセル及びこれを備えるエネルギー貯蔵モジュールを提供することを目的とする。
【０００８】
また、本発明は、組立及び分離の容易性を向上させたキャパシタユニットセル及びこれを備えるエネルギー貯蔵モジュールを提供することを目的とする。
【課題を解決するための手段】
【０００９】
本発明によるキャパシタユニットセルは、エネルギー貯蔵素子及び前記エネルギー貯蔵素子を内蔵させる外部ケースを含み、前記外部ケースは、前記外部ケースの一面から突出した突出部、及び前記突出部と相応する形状を有し、前記外部ケースの他面から前記外部ケースの内側に陷沒された陷沒部を含む。
【００１０】
本発明の実施例によると、前記突出部は、前記キャパシタユニットセルとは異なる他のキャパシタユニットセルの一部に挿入されて嵌められ、前記陷沒部は、前記キャパシタユニットセルとは異なる、また他のキャパシタユニットセルの一部を挿入して嵌めることができる。
【００１１】
本発明の実施例によると、前記突出部及び前記陷沒部は柱状とすることができる。
【００１２】
本発明の実施例によると、前記外部ケースは、上部面、前記上部面の反対側である下部面、そして前記上部面と前記下部面を連結する第１から第４側面を含み、前記第１側面は、前記第３側面と反対となる側面であり、前記第２側面は、前記第４側面と反対となる側面であり、前記突出部は、前記第１側面と前記第２側面に提供され、前記陷沒部は前記第２側面と前記第４側面に提供されることができる。
【００１３】
本発明の実施例によると、前記突出部は、前記外部ケースの一面から一方向に垂直に突出した構造、及び前記構造から前記一方向に垂直の方向に突出した外れ防止体を含むことができる。
【００１４】
本発明によるエネルギー貯蔵モジュールは、プラス端子及びマイナス端子を有する複数のキャパシタユニットセル、及び前記キャパシタユニットセルのうち何れか一つのセルのプラス端子と他の一つのセルのマイナス端子とを電気的に連結させる連結部を含み、前記キャパシタユニットセルの夫々は、エネルギー貯蔵素子を内蔵させる外部ケースを含み、前記外部ケースは、前記外部ケースの一面から突出した突出部及び前記突出部と相応する形状を有し、前記外部ケースの他面から前記外部ケースの内側に陷沒した陷沒部を含む。
【００１５】
本発明の実施例によると、前記キャパシタユニットセルのうち何れか一つのセルの突出部は、前記何れか一つのセルに隣接する他の一つのセルの陷沒部に挿入され、前記何れか一つのセルの陷沒部には、前記何れか一つのセルに隣接するまた他の一つのセルの突出部を挿入することができる。
【００１６】
本発明の実施例によると、前記キャパシタユニットセルのうち何れか一つのセルの突出部は、隣接する他の一つのセルの陷沒部に挿入され、前記突出部を、前記陷沒部にスライディング面接触して嵌めることができる。
【００１７】
本発明の実施例によると、前記キャパシタユニットセルのうち何れか一つのセルの突出部は、隣接する他の一つのセルの陷沒部に挿入され、前記突出部は前記陷沒部にプレスフィット方式で嵌めることができる。
【００１８】
本発明の実施例によると、前記突出部及び前記陷沒部は突起形状を有することができる。
【００１９】
本発明の実施例によると、前記外部ケースは、上部面、この上部面の反対側である下部面、そして前記上部面と前記下部面を連結する第１から第４側面を含み、前記第１側面は前記第３側面と反対となる側面であり、前記第２側面は前記第４側面と反対となる側面であり、前記突出部は、前記第１側面と前記第３側面に設けられ、前記陷沒部は、前記第２側面と前記第４側面に設けられることができる。
【００２０】
本発明の実施例によると、前記突出部は、前記外部ケースの一面から一方向に突出した構造、及び前記構造から前記一方向に垂直の方向に突出した外れ防止体を含むことができる。
【００２１】
本発明の実施例によると、前記陷沒部は、前記外れ防止体と相応する形状の外れ防止溝をさらに含むことができる。
【発明の効果】
【００２２】
本発明によるキャパシタユニットセルは、他のキャパシタユニットセルに一部が嵌められて組み立てられる構造を有することができる。これにより、本発明によるキャパシタユニットセルは、キャパシタセルアレイの構成時、隣接する他のキャパシタユニットセルと直接密着させて組み立てることができるため、集積度を増加させるとともに、キャパシタセルアレイの分離及び分離容易性を向上させることができる。
【００２３】
本発明によるエネルギー貯蔵モジュールは、複数のキャパシタユニットセルが組合わされたキャパシタセルアレイを含み、夫々のキャパシタユニットセルは、隣接する他のキャパシタユニットセルに挿入され固定される構造を有することができる。これにより、本発明によるエネルギー貯蔵モジュールは、別途の固定手段なしに、前記キャパシタユニットセルを組み立てることにより、互いに固定されたキャパシタセルアレイを構成することができる。このため、組立性及び分離容易性を向上させることができる。
【００２４】
また、本発明によるエネルギー貯蔵モジュールは、複数のキャパシタユニットセルが組合されたキャパシタセルアレイを含み、夫々のキャパシタユニットセルは、隣接する他のキャパシタユニットセルと密着して互いに固定された構造を有することができる。これにより、本発明によるエネルギー貯蔵モジュールの占有面積は、前記キャパシタユニットセル夫々の占有面積の総合と同一になるため、集積度を向上させることができる。
【図面の簡単な説明】
【００２５】
【図１】本発明の一実施例によるエネルギー貯蔵モジュールを示す斜視図である。
【図２】図１に図示された一つのキャパシタユニットセルを示す斜視図である。
【図３】本発明の一変形例によるエネルギー貯蔵モジュールを示す斜視図である。
【図４】図３に図示されたキャパシタユニットセルのうち何れか一つを示す斜視図である。
【図５】本発明の他の変形例によるエネルギー貯蔵モジュールを示す斜視図である。
【図６】図５に図示されたキャパシタユニットセルのうち何れか一つを示す斜視図である。
【図７】本発明のさらに他の変形例によるエネルギー貯蔵モジュールを示す斜視図である。
【図８】図７に図示されたキャパシタユニットセルのうち何れか一つを示す斜視図である。
【発明を実施するための形態】
【００２６】
本発明の利点及び特徴、そしてこれらを達成する技術などは、添付図面とともに詳細に後述される実施例を参照すると明確になるであろう。しかし、本発明は、以下で開示される実施例に限定されず、相異なる多様な形態で具現することができる。
本実施例は、本発明の開示が完全になるようにするとともに、本発明が属する技術分野にて通常の知識を有する者に発明の範疇を完全に伝達するために提供されることができる。明細書全体において、同一参照符号は同一構成要素を示す。
【００２７】
本明細書で用いられる用語は、実施例を説明するためのものであり、本発明を限定しようとするものではない。本明細書で、単数形は特別に言及しない限り複数形も含む。明細書で用いられる「含む（ｃｏｍｐｒｉｓｅ）」及び／または「含んでいる（ｃｏｍｐｒｉｓｉｎｇ）」は、言及された構成要素、段階、動作及び／または素子について、一つ以上の他の構成要素、段階、動作及び／または素子の存在または追加を排除しない。
【００２８】
以下、添付された図面を参照して、本発明によるキャパシタユニットセル及びこれを備えるエネルギー貯蔵モジュールに対して詳細に説明する。
【００２９】
図１は、本発明の一実施例によるエネルギー貯蔵モジュールを示す斜視図であり、図２は、図１に図示された一つのキャパシタユニットセルを示す斜視図である。
【００３０】
図１及び図２を参照すると、本発明の実施例によるエネルギー貯蔵モジュール１００は、複数のキャパシタユニットセル１１０が組合わされた構造とすることができる。前記キャパシタユニットセル１１０夫々は、いわゆる、ウルトラキャパシタまたはスーパーキャパシタと呼ばれるエネルギー貯蔵素子が内蔵されたエネルギー貯蔵ユニットセルとすることができる。この場合、前記エネルギー貯蔵モジュール１００は、複数のスーパーキャパシタで構成されたキャパシタセルアレイとすることができる。
【００３１】
前記キャパシタユニットセル１１０夫々の上部には、外部電極端子１２０を備えることができる。前記外部電極端子１２０は、互いに離隔して配置されたプラス端子１２２及びマイナス端子１２４を含むことができる。前記プラス端子１２２及び前記マイナス端子１２４は、前記エネルギー貯蔵素子の陽極（ｐｏｓｉｔｉｖｅ  ｅｌｅｃｔｒｏｄｅ：図示せず）及び陰極（ｎｅｇａｔｉｖｅ  ｅｌｅｃｔｒｏｄｅ：図示せず）に夫々連結することができる。
【００３２】
前記キャパシタユニットセル１１０は、連結部１３０によって互いに直列に連結することができる。前記連結部１３０は、前記キャパシタユニットセル１１０のうち、何れか一つのキャパシタユニットセル１１０のプラス端子１２２と、前記何れか一つのキャパシタユニットセル１１０に隣接する他の一つのキャパシタユニットセル１１０のマイナス端子１２４と、を電気的に連結することができる。このために、前記連結部１３０は、前記プラス端子１２２と前記マイナス端子１２４とが挿入される挿入孔が形成されたプレート構造を有することができる。
【００３３】
一方、前記キャパシタユニットセル１１０夫々は、略同一の外観構造を有することができる。これに加えて、前記キャパシタユニットセル１１０は互いに組み立てられることにより、互いに固定されて前記エネルギー貯蔵モジュール１００を具現するように構成することができる。
【００３４】
このために、前記キャパシタユニットセル１１０夫々の外部ケース（ｏｕｔｅｒ  ｃａｓｅ）は、隣接する他のキャパシタユニットセル１１０に、その一部を挿入することが可能な構造とすることができる。一例として、前記キャパシタユニットセル１１０の夫々の外部ケースは、略六面体の形状を有し、前記外部ケースは、上部面、この上部面の反対側である下部面、そして前記上部面と前記下部面を連結しながら隣接するキャパシタユニットセル１１０に密着する四つの側面を有することができる。前記側面は、他のキャパシタユニットセル１１０と接触する一側面１１２、及びまた他のキャパシタユニットセル１１０と接触する他側面１１４を含むことができる。前記一側面１１２は、前記他側面１１４と反対となる面とすることができる。
【００３５】
ここで、前記一側面１１２には、前記他のキャパシタユニットセル１１０に挿入される突出部１１３が備えられ、前記他側面１１４には、前記また他のキャパシタユニットセル１１０の一部が挿入される陷沒部１１５を備えることができる。前記突出部１１３と前記陷沒部１１５は、互いに相応する形状を有するように構成することができる。例えば、何れか一つのキャパシタユニットセル１１０に提供された突出部１１３は、他の一つのキャパシタユニットセル１１０に設けられた陷沒部１１５に挿入され、固定される構造を有することができる。この際、前記突出部１１３と前記陷沒部１１５は、スライディング面接触して嵌められるように構成することができる。または、前記突出部１１３と前記陷沒部１１５は、プレスフィット方式で嵌められるように構成することもできる。
【００３６】
上述のような構造のエネルギー貯蔵モジュール１００は、前記キャパシタユニットセル１１０の突出部１１３及び陷沒部１１５が、他のキャパシタユニットセルの陷沒部１１５及び突出部１１３に夫々嵌められる方式で製造することができる。この場合、前記キャパシタユニットセル１１０は互いに接触されて密着されるため、前記エネルギー貯蔵モジュール１００の占有面積は、前記キャパシタユニットセル１１０夫々の占有面積の総合と同一とすることができる。
【００３７】
上述のように、本発明の実施例によるエネルギー貯蔵モジュール１００は、複数のキャパシタユニットセル１１０が互いに組合されたキャパシタセルアレイ構造を有し、夫々のキャパシタユニットセル１１０は、隣接する他のキャパシタユニットセルに挿入され嵌められた構造とすることができる。これにより、本発明によるエネルギー貯蔵モジュールは、別途の固定手段なしに前記キャパシタユニットセル１１０を組み立てることにより、互いに固定されたキャパシタセルアレイを構成することができる。そのため、組立性及び分離性を向上させることができる。
【００３８】
また、本発明の実施例によるエネルギー貯蔵モジュール１００は、複数のキャパシタユニットセル１１０が互いに組合わされたキャパシタセルアレイ構造を有し、夫々のキャパシタユニットセル１１０は、隣接する他のキャパシタユニットセル１１０と接触して密着した構造とすることができる。これにより、本発明によるエネルギー貯蔵モジュールの占有面積は、前記キャパシタユニットセル１１０夫々の占有面積の総合と同一になるため、別途の固定手段を備えたり、前記キャパシタユニットセルが離隔されて組み立てられた構造のエネルギー貯蔵モジュールに比べて、集積度を大きく向上させることができる。
【００３９】
以下、本発明の変形例によるキャパシタユニットセル及びこれを備えるエネルギー貯蔵モジュールについて詳細に説明する。ここで、上述のキャパシタユニットセル１１０及びエネルギー貯蔵モジュール１００に関して重複する内容は、省略または簡素化することがある。
【００４０】
図３は、本発明の一変形例によるエネルギー貯蔵モジュールを示す斜視図であり、図４は、図３に図示されたキャパシタユニットセルのうち何れか一つを示す斜視図である。
【００４１】
図３及び図４を参照すると、一変形例によるエネルギー貯蔵モジュール１００ａは、図１及び図２に示される上述のエネルギー貯蔵モジュール１００に比べて、複数の突出部１１３ａ及び陷沒部１１５ａを有するキャパシタユニットセル１１０ａで構成されている。前記突出部１１３ａ及び前記陷沒部１１５ａは、突起形状を有することができる。一例として、前記突出部１１３ａは、前記ユニットセル１１０ａの側面から突出した四角柱状とすることができる。しかし、前記突出部１１３ａの形状はこれに限定されず、多様な形状で提供することが可能である。他の例として、前記突出部１１３ａは、円柱または六角柱状とすることができる。
【００４２】
前記突出部１１３ａは、前記陷沒部１１５ａが嵌められて固定されるように、前記陷沒部１１５ａと相応する形状とすることができる。より具体的には、前記キャパシタユニットセル１１０ａのうち何れか一つのセルに備えられた前記突出部１１３ａは、他の一つのセルに備えられた前記陷沒部１１５ａに挿入されて嵌められることができる。これとともに、前記キャパシタユニットセル１１０ａのうち何れか一つのセルに備えられた前記陷沒部１１５ａは、他の一つのセルに備えられた前記突出部１１３ａが挿入されて嵌められることができる。これにより、前記キャパシタユニットセル１１０ａは、前記突出部１１３ａと前記陷沒部１１５ａが互いに嵌められて固定された構造とすることができる。
【００４３】
一方、前記キャパシタユニットセル１１０ａの上部面にはプラス端子１２２及びマイナス端子１２４からなった外部電極端子１２０を備えることができる。ここで、何れか一つのキャパシタユニットセル１１０ａのプラス端子１２２は、連結部１３０により、他の一つのキャパシタユニットセル１１０ａのマイナス端子１２４に電気的に連結することができる。
【００４４】
ここで、本実施例では四つの突出部１１３ａ及び陷沒部１１５ａを備えた場合を例示したが、前記突出部１１３ａ及び前記陷沒部１１５ａの個数は多様に変更することができる。
【００４５】
図５は、本発明の他の変形例によるエネルギー貯蔵モジュールを示す斜視図であり、図６は、図５に図示されたキャパシタユニットセルのうち何れか一つを示す斜視図である。
【００４６】
図５及び図６を参照すると、本発明の他の変形例によるエネルギー貯蔵モジュール１００ｂは、図１及び図２に示す上述したエネルギー貯蔵モジュール１００と比べて、二つの陷沒部及び二つの突出部を有するキャパシタユニットセル１１０ｂで構成することができる。
【００４７】
より具体的には、前記キャパシタユニットセル１１０ｂの外部ケースは略六面体の形状を有し、第１から第４側面１１２、１１４、１１６、１１８を有することができる。前記第１側面１１２は、前記第２側面１１４と反対となる面であり、前記第３側面１１６と前記第４側面１１８は互いに反対となる面とすることができる。
【００４８】
ここで、前記突出部は、前記第１側面１１２に備えられた第１突出部１１３ｂ及び前記第３側面１１６に備えられた第２突出部１１７を含むことができる。また、前記陷沒部は、前記第２側面１１４に備えられた第１陷沒部１１５ｂ及び前記第４側面１１８に備えられた第２陷沒部１１９を含むことができる。
【００４９】
一方、前記キャパシタユニットセル１１０ｂの上部面には、プラス端子１２２及びマイナス端子１２４からなる外部電極端子１２０を備えることができる。ここで、何れか一つのキャパシタユニットセル１１０のプラス端子１２２は、連結部１３０により、他の一つのキャパシタユニットセル１１０ｂのマイナス端子１２４に電気的に連結することができる。
【００５０】
上述のような構造のエネルギー貯蔵モジュール１００ｂは、図１及び図２に図示されたエネルギー貯蔵モジュール１００ｂに比べて、キャパシタユニットセル１１０ｂが四つの側面に隣接する他のキャパシタユニットセル１１０ｂと全て嵌められる構造とすることができる。これにより、本発明の他の変形例によるエネルギー貯蔵モジュール１００ｂは、一方向に配置されるキャパシタユニットセル１１０ｂが互いに嵌められて固定され、さらに、前記一方向と直交する他の方向に配置されるキャパシタユニットセル１１０ｂを、互いに嵌められ固定されるように構成することにより、前記キャパシタユニットセル１１０ｂの組立性及び分離性だけでなく、固定性及び組立強度を向上させた構造とすることができる。
【００５１】
図７は、本発明の他の変形例によるエネルギー貯蔵モジュールを示す斜視図であり、図８は、図７に図示したキャパシタユニットセルのうち何れか一つを示す斜視図である。
【００５２】
図７及び図８を参照すると、本発明のさらに他の変形例によるエネルギー貯蔵モジュール１００ｃは、図１及び図２に示す上述のエネルギー貯蔵モジュール１００に比べて、外れ防止体１１３ｃ’を有する突出部１１３ｃ及び外れ防止溝１１５ｃ’を有する陷沒部１１５ｃを備えるキャパシタユニットセル１１０ｃで構成することができる。
【００５３】
より具体的には、図１から図６に示す上述の突出部１１３、１１３ａ、１１３ｂ及び陷沒部１１５、１１５ａ、１１５ｂは、キャパシタユニットセルの側面から一方向のみに突出した構造とすることができる。この場合、前記エネルギー貯蔵モジュール１００に衝撃が加えられると、前記突出部１１３、１１３ａ、１１３ｂ及び前記陷沒部１１５、１１５ａ、１１５ｂは、スライディング面接触して結合された構造を有するため、前記キャパシタユニットセルが分離される可能性がある。これを防止するために、前記突出部１１３ｃ及び前記陷沒部１１５ｃを、前記キャパシタユニットセル１１０ｃの面方向への分離を防止する構造で提供することができる。
【００５４】
一例として、前記突出部１１３ｃは、前記キャパシタユニットセル１１０ｃの一側面１１２から一方向に突出した構造を有し、前記突出した構造から前記一方向に略垂直の方向に突出した外れ防止体１１３ｃ’を備えることができる。この際、前記外れ防止体１１３ｃ’は、前記突出した構造の端から延長された構造を有することができる。この場合、前記突出部１１３ｃの全体構造の横断面は、略「Ｔ」字状とすることができる。一方、前記陷沒部１１５ｃは、上述のような構造の突出部１１３ｃと相応する形状を有するように構成することができる。これにより、前記陷沒部１１５ｃの全体構造の横断面を略「Ｔ」字状とすることができる。
【００５５】
上述のような「Ｔ」字状の突出部１１３ｃ及び陷沒部１１５ｃによって、前記エネルギー貯蔵モジュール１００ｃは、前記キャパシタユニットセル１１０ｃの分離を防止でき、外部衝撃に強い構造とすることができる。
【００５６】
一方、前記キャパシタユニットセル１１０ｃの上部面には、プラス端子１２２及びマイナス端子１２４からなる外部電極端子１２０を備えることができる。ここで、何れか一つのキャパシタユニットセル１１０のプラス端子１２２は、連結部１３０により、他の一つのキャパシタユニットセル１１０ｃのマイナス端子１２４に電気的に連結することができる。
【００５７】
以上の詳細な説明は本発明を例示するものである。また、上述の内容は、本発明の好ましい実施形態を示して説明するものに過ぎず、本発明は多様な他の組合せ、変更及び環境で用いることができる。即ち、本明細書に開示された発明の概念の範囲、記述した開示内容と均等な範囲及び／または当業界の技術または知識の範囲内で変更または修正が可能である。上述の実施例は、本発明の実施における最善の状態を説明するためのものであり、本発明を他の発明に用いる場合において当業界で公知の他の状態での実施、そして発明の具体的な適用分野及び用途で要求される多様な変更も可能である。従って、以上の発明の詳細な説明は、開示された実施状態に本発明を制限しようとする意図ではない。また、添付の特許請求の範囲は他の実施状態も含むと解釈されるべきである。
【符号の説明】
【００５８】
１００  エネルギー貯蔵モジュール
１１０  キャパシタユニットセル
１１２  一側面
１１３  突出部
１１４  他側面
１１５  陷沒部
１２０  電極部
１２２  プラス端子
１２４  マイナス端子
１３０  連結部
【図１】
2012049490.tif 000003
【図２】
2012049490.tif 000004
【図３】
2012049490.tif 000005
【図４】
2012049490.tif 000006
【図５】
2012049490.tif 000007
【図６】
2012049490.tif 000008
【図７】
2012049490.tif 000009
【図８】
2012049490.tif 000010